(57)【要約】  【構成】  筐体１４を開くと、筐体１４の外側面１４ａが当たり面２２に面接触する。アンテナ基部２０は、筐体１４の開動作に伴って周方向に回転する。アンテナ基部２０に形成されたアンテナ１２は、筐体１６の外側面１６ａから外方に突出する。筐体１４を閉じると、筐体１４の内側面１４ｂが当たり面２４に面接触する。アンテナ基部２０は、筐体１４の閉動作に伴って開動作時と逆の方向に回転する。アンテナ１２の向きは、元に戻る。  【効果】  筐体の開閉動作の繰り返しに対する耐久性に優れる。【選択図】  図１
2005236623.tif 000002
【特許請求の範囲】
【請求項１】
ヒンジによって開閉自在に結合された第１ケースおよび第２ケースを備える通信端末において、
前記ヒンジと同軸に回転自在にベースを設け、
前記ベースの回転方向に一定間隔を経て第１当たり面および第２当たり面を形成し、
前記第１当たり面および前記第２当たり面の間と異なる前記ベース上の領域にアンテナを形成し、そして
前記第１当たり面および前記第２当たり面の間に前記第１ケースを配置したことを特徴とする、通信端末。
【請求項２】
前記第１ケースは、開状態で前記第１当たり面と接触する外側面と閉状態で前記第２当たり面と接触する内側面とを有する、請求項１記載の通信端末。
【請求項３】
前記開状態で前記内側面と前記第２当たり面とによって形成される角度は前記第１ケースの回転角度よりも小さい、請求項２記載の通信端末。
【請求項４】
前記アンテナは固定ヘリカル型である、請求項１ないし３のいずれかに記載の通信端末。
【発明の詳細な説明】
【技術分野】
【０００１】
この発明は、通信端末に関し、特にたとえば、ヒンジによって開閉自在に結合された第１ケースおよび第２ケースを備える、通信端末に関する。
【背景技術】
【０００２】
従来のこの種の通信端末の一例が、特許文献１に開示されている。この従来技術によれば、アンテナを配置する凸部がキー側筐体のリアカバーに形成され、この凸部の周囲に弾性体が備えられる。表示側筐体を展開すると、ヒンジ部の回転力が凸部に付加され、凸部つまりアンテナがキー側筐体のリアカバーに対して突出する。表示側筐体を折りたたむと、ヒンジ部の回転力が除去され、凸部つまりアンテナの姿勢は弾性体の復元力によって元に戻る。これによって、アンテナ感度の確保とデザイン性の向上とが可能となる。
【特許文献１】特開２００３−２５８５２１号公報［Ｈ０１Ｑ１／２４，１／０８，Ｈ０４Ｍ  １／０２］
【発明の開示】
【発明が解決しようとする課題】
【０００３】
しかし、従来技術では、使用時に凸部に付加される外力によって弾性体に負担がかかるため、耐久性に問題があった。
【０００４】
それゆえに、この発明の主たる目的は、耐久性を確保しつつ、アンテナ感度の確保とデザイン性の向上とを図ることができる、通信端末を提供することである。
【課題を解決するための手段】
【０００５】
請求項１の発明に従う通信端末は、ヒンジによって開閉自在に結合された第１ケースおよび第２ケースを備える通信端末において、ヒンジと同軸に回転自在にベースを設け、ベースの回転方向に一定間隔を経て第１当たり面および第２当たり面を形成し、第１当たり面および第２当たり面の間と異なるベース上の領域にアンテナを形成し、そして第１当たり面および第２当たり面の間に第１ケースを配置したことを特徴とする。
【０００６】
第１ケースを開くと、第１ケースの外側面が第１当たり面に面接触する。ベースは、第１ケースの開動作に伴って回転する。ベースに形成されたアンテナの向きは、ベースの回転によって周方向に変位する。第１ケースを閉じると、第１ケースの内側面が第２当たり面に面接触する。ベースは、第１ケースの閉動作に伴って開動作時と逆の方向に回転する。アンテナの向きは、元に戻る。
【０００７】
このように、アンテナをベースに形成し、第１ケースの開閉に伴ってベースを回転させるようにしたため、耐久性を確保しつつアンテナ感度の確保とデザイン性の向上とを図ることができる。
【０００８】
請求項２の発明に従う通信端末は、請求項１に従属し、第１ケースは、開状態で第１当たり面と接触する外側面と閉状態で第２当たり面と接触する内側面とを有する。
【０００９】
請求項３の発明に従う通信端末は、請求項２に従属し、開状態で内側面と第２当たり面とによって形成される角度は第１ケースの回転角度よりも小さい。これによって、第１ケースの回転角度に制限があるときでも、第１ケースの開閉によってアンテナの向きが変位する。
【００１０】
請求項４の発明に従う通信端末は、請求項１または２に従属し、アンテナは固定ヘリカル型である。
【発明の効果】
【００１１】
この発明によれば、アンテナをベースに形成し、第１ケースの開閉に伴ってベースを回転させるようにしたため、耐久性を確保しつつアンテナ感度の確保とデザイン性の向上とを図ることができる。
【００１２】
この発明の上述の目的，その他の目的，特徴および利点は、図面を参照して行う以下の実施例の詳細な説明から一層明らかとなろう。
【発明を実施するための最良の形態】
【００１３】
図１（Ａ）〜図１（Ｃ）を参照して、この発明の一実施例である通信端末１０は、アンテナ１２，表示部を備えた筐体（第１ケース）１４，キー操作部を備えた筐体（第２ケース）１６，およびヒンジ１８によって構成される。筐体１４および１６は、ヒンジ１８によって結合されており、展開および折りたたみ動作を自在に行うことができる。
【００１４】
ヒンジ１８の端部には、ヒンジ１８と同じ軸を持つ回転自在のアンテナ基部（ベース）２０が設けられる。アンテナ基部２０の周方向には、所定間隔をおいて２つの当たり面２２および２４が形成される。筐体１４は、この２つの当たり面２２および２４の間に配置される。アンテナ基部２０にはさらに、アンテナ１２が一体形成される。ただし、アンテナ１２は、当たり面２２および２４の間の領域とは異なる領域に形成される。
【００１５】
図２（Ａ）および図２（Ｂ）を参照して、当たり面２２は、筐体１４が回転角度θ１に達したときに外側面１４ａに面接触するように形成されている。筐体１４の外側面１４ａが当たり面２２に面接触した後は、筐体１４の展開動作に伴ってアンテナ基部２０も回転する。筐体１４の展開動作は角度θ２で規制され、アンテナ基部２０の回転動作は角度θ３（＝θ２−θ１）で停止する。角度θ３は、アンテナ１２が筐体１６の外側面１６ａから外方に突出する突出角度に相当する。展開状態から筐体１４を折りたたむと、筐体１４の内側面１４ｂが当たり面２４と面接触する。アンテナ基部２０は展開時と逆方向に回転し、アンテナ１２の向きは元に戻る。
【００１６】
図３〜図５を参照して、筐体１６は回路実装基板３０を内蔵する。回路実装基板３０は、縦方向上端から延伸する短冊状の突出部３０ａを有し、この突出部３０ａの表面には板バネによって形成された金属片３２がビスあるいは溶接や半田付け等によって固定される。金属片３２は、回路実装基板３０に実装された回路（図示せず）と接続される。かかる突出部３０ａは、ヒンジ１８の中心軸近傍に配置される。
【００１７】
一方、アンテナ１２は、ヘリカルアンテナ２６とロッド２８ａ〜２８ｃによって形成されるロッドアンテナ２８とを含む。ロッド２８ａはアンテナ１２の長さ方向に沿って延び、ロッド２８ｃはヒンジ１８の中心軸に沿って延び、そしてロッド２８ｂはかかるロッド２８ａおよび２８ｃを互いに結合する。ロッド２８ａおよび２８ｂは直交し、ロッド２８ｂおよび２８ｃも直交する。ヘリカルアンテナ２６はロッド２８ａの先端に接続され、金属片３２はロッド２８ｃの外周面に当接する。ロッド２８ｃには金属片３２の弾性力が付勢され、ロッド２８ｃはアンテナ１２の回転状態に関係なく常に金属片３２と接触する。
【００１８】
以上のように、通信端末１０を展開した状態で電波を送受信したとき、アンテナ１２は筐体１６の外側面１６ａから外方に突出する。このため、使用状態において電波特性の劣化がなく、良好な通信状態を維持できる。また、アンテナ基部２０はヒンジ１８と同軸に回転自在に設けられるため、筐体１４の開閉動作の繰り返しに対する耐久性に優れる。さらに、通信端末１０を折りたたんだ状態では、アンテナ１２の突出が解除され、筐体１６の厚みの範囲に収まるので、デザイン性の向上が実現される。
【００１９】
なお、この実施例では、アンテナ基部２０に加えられる外力は、筐体１４の開閉動作に伴う当たり面２２または２４への圧接力のみである。しかし、筐体１４を展開した状態では筐体１４を折りたたむ方向への回転力をアンテナ基部２０に付勢し、筐体１４を折りたたんだ状態では筐体１４を展開する方向への回転力をアンテナ基部２０に付勢するようにしてもよい。これによって、アンテナ基部２０の位置が安定する。
【００２０】
また、この本実施例では、固定ヘリカル型のアンテナを採用しているが、これに代えて伸縮可能なホイップ型アンテナを採用するようにしてもよい。
【図面の簡単な説明】
【００２１】
【図１】この発明の一実施例である通信端末の構成図である。
【図２】図１実施例の側面図である。
【図３】この発明の通信端末の内部構成を示す図である。
【図４】図３におけるアンテナ基部内の拡大図である。
【図５】アンテナおよび筐体内部の構造のみを示す図である。
【符号の説明】
【００２２】
１０  …通信端末
１２  …アンテナ
１４，１６  …筐体
１８  …ヒンジ
２０  …アンテナ基部
２２，２４  …当たり面
２６  …ヘリカルコイル
２８  …ロッドアンテナ
３０  …回路実装基板
３２  …金属片
【図１】
2005236623.tif 000003
【図２】
2005236623.tif 000004
【図３】
2005236623.tif 000005
【図４】
2005236623.tif 000006
【図５】
2005236623.tif 000007